(57)【要約】　　　（修正有）【課題】家庭内のペットの排泄物を処理するために、ペットシートが床などに敷かれて使用されているが、この種のペットシートは表裏が識別しにくい。【解決手段】ペットシートの裏面シート２表面に粘着層６を有する離型紙７を接着固定する。表面シート１と裏面シート２とが接合された延出シートＳｂを折り畳むと、裏面シート２が粘着層６に粘着される。この折り畳み状態で市販される。使用時に前記延出シートＳｂを剥がすと、粘着層６が延出シートＳｂの裏面シート２に粘着された状態で広げられ、粘着層６によりペットシートのずれ止めができる。表面シート１と吸収体５との間に位置する吸収シート３が着色されているため、表裏の識別が容易である。【選択図】　　図２
2004049233.tif 000002
【特許請求の範囲】
【請求項１】
透液性の表面シートと、不透液性の裏面シートと、前記表面シートと裏面シートとの間に介在する吸収体と、前記表面シートと前記吸収体との間に介在する吸収シートとを有する積層体により形成されたペットシートにおいて、前記裏面シートの四隅の角部に、粘着層および前記粘着層に剥離可能に粘着された離型シートとが設けられ、前記吸収シートが着色されていることを特徴とするペットシート。
【請求項２】
透液性の表面シートと、不透液性の裏面シートと、前記表面シートと裏面シートとの間に介在する吸収体と、前記表面シートと前記吸収体との間に介在する吸収シートとを有する積層体により形成されたペットシートにおいて、前記吸収シートが着色されており、前記前記裏面シートの四隅の角部に設けられた粘着層を介して固着されることを特徴とするペットシート。
【請求項３】
前記吸収シートはティッシュである請求項１または２記載のペットシート。
【発明の詳細な説明】
【０００１】
【発明の属する技術分野】
本発明は、室内で飼われるペットの排泄物の処理のために、床などに敷かれて使用されるペットシートに係り、特に床などに敷かれたときにずれ止めができるようにしたぺットシートに関する。
【０００２】
【従来の技術】
家庭内で飼われるペットの排泄物を処理するために、ペットシートが使用されている。このペットシートは、紙シートや透液性の不織布などの表面シートと、不透液性の裏面シートと、表面シートと裏面シートの間に介在する吸収体とから構成され、吸収体は、パルプまたはパルプに高吸収性ポリマーが含まれたものにテイッシュが重ねられるなどして形成されている。
【０００３】
このペットシートは、前記表面シートが、ペットの尿を受ける側に向けられ、裏面シートが床やペット用トイレの底面に向けられて設置される。ペットの尿は前記表面シートを透過し、吸収体に吸収され、また裏面シートで床やトイレに透過しないようになっている。
【０００４】
【特許文献１】
実開昭６３−１５８１６０号公報
【０００５】
【発明が解決しようとする課題】
前記ペットシートは、床、またはパネルなどの上に敷かれて使用されるため、ペットがペットシートの上に乗ったり、またはペットシート上を走り抜けたときに、ペットシートが床面などで滑りやすくなっている。また、平坦なペットシートは、表裏の識別が容易ではない。
【０００６】
本発明は上記従来の課題を解決するものであり、床面などでの滑りによる位置ずれが生じないようにし、また表裏の識別を容易にしたペットシートを提供することを目的としている。
【０００７】
【課題を解決するための手段】
本発明は、透液性の表面シートと、不透液性の裏面シートと、前記表面シートと裏面シートとの間に介在する吸収体と、前記表面シートと前記吸収体との間に介在する吸収シートとを有する積層体により形成されたペットシートにおいて、前記裏面シートの外面四隅の角部の表面に、粘着層および前記粘着層に剥離可能に粘着された離型シートとが設けられ、前記吸収シートが着色されていることを特徴とするものである。
【０００８】
また、本発明は、透液性の表面シートと、不透液性の裏面シートと、前記表面シートと裏面シートとの間に介在する吸収体と、前記表面シートと前記吸収体との間に介在する吸収シートとを有する積層体により形成されたペットシートにおいて、前記吸収シートが着色されており、前記前記裏面シートの四隅の角部に設けられた粘着層を介して固着されることを特徴とするものである。
【０００９】
前記において、例えば、前記吸収シートはティッシュである。
前記表面シートは、例えばポリプロピレン（ＰＰ）繊維から成るポイントボンド不織布などの合成繊維から形成された透液性の不織布、あるいはレーヨン繊維などの吸水性繊維が含まれた、また吸水性繊維のみで形成された不織布である。裏面シートは、ポリエチレン（ＰＥ）フィルムやビニールシートなどの不透液性シートである。前記吸収体は、パルプ、綿などに高吸収性ポリマー（ＳＡＰ）が混合されたものを、紙あるいはティッシュ、あるいは不織布で包んだものである。
【００１０】
粘着層は、エラストマーなどの粘着性を有する物質が裏面シートの表面に塗布されることなどにより形成される。この粘着層は、床またはパネル表面に粘着され、ペットシートのずれ止めがなされる。離型シートは基材シート表面に珪素系樹脂などの離型剤が塗布されたものであり、前記基材シートが裏面シートに接着固定される。
【００１１】
このペットシートを使用するときには、ペットシートを平面状態に広げる。このとき、前記粘着層から離型シートが剥がされ、裏面シートを床面側などに向けて設置したときに、前記粘着層が床面などに粘着されて、ペットシートのずれ止めがなされる。このペットシートは表面に着色面が現れているため、表裏の向きを誤ることがない。
【００１２】
【発明の実施の形態】
以下本発明を図面を参照しながら説明する。
【００１３】
図１は、本発明のペットシートを裏側（裏面シート側）を上向きにして示した部分斜視図、図２は図１のＩＩ−ＩＩ線の断面図であり、表面シートを上向きにして示した断面図、図３（Ａ）（Ｂ）は粘着層を離型層から剥がす動作の説明図である。
【００１４】
図１では、ペットシートＳの幅方向をＸ方向、長さ方向をＹ方向で表している。本発明のペットシートＳは、吸収体５を有する平坦な吸収領域Ｓｃと、吸収領域ＳｃのＸ方向の両端部にてＹ方向に延び、且つシート表面からほぼ垂直に立上がるフラップＳａと、フラップＳａからさらにＸ方向の外側に延びる延出シートＳｂと、フラップＳａと吸収領域Ｓｃとの境界の薄肉の境界部Ｓｄと、から構成されている。
【００１５】
図２に示すように、ペットシートＳは、長方形状の表面シート１と、この表面シート１と同じ大きさの裏面シート２と、両シート１と２との間に、これら両シートよりもサイズの小さい吸収体５が介在した積層構造である。
【００１６】
前記表面シート１としては、例えばポリプロピレン（ＰＰ）繊維から成るポイントボンド不織布などの、合成繊維から形成された透液性の不織布が使用される。また前記表面シート１は、レーヨン繊維などの吸水性繊維を含むもの、あるいは吸水性繊維のみで形成された不織布でもよい。前記裏面シート２は、ポリエチレン（ＰＥ）フィルムやビニールシートなどの不透液性シートで形成されるが、この裏面シート２は前記ＰＥフィルムのような熱融着性フィルムが好ましい。
【００１７】
前記吸収体５は、吸収性物質４が、透液性で且つ液吸収性を有するティッシュなどの吸収シート３で挟まれ、または包まれたやや嵩高の平坦な形状である。前記吸収性物質４は、例えばパルプや綿などに、必要に応じて、高吸収性ポリマー（ＳＡＰ）が含まれたものである。
【００１８】
ペットシートＳの吸収領域Ｓｃでは、前記表面シート１と裏面シート２との間に、吸収体５が挟まれた構造となっている。また、ペットシートＳの表と裏を識別しやすいよう、吸収性物質４と表面シート１の間に介在する吸収シート３は着色されたものが使用される。
【００１９】
前記吸収領域Ｓｃ以外の周辺部では、表面シート１と裏面シート２とが熱融着されて接合されている。または表面シート１と裏面シート２とが、ホットメルト接着剤などで接着されていてもよい。
【００２０】
図２に示すように、前記フラップＳａは、表面シート１および裏面シート２とが接合された接合部において、裏面シート２どうしが対面する向きに山折りに折り畳まれ、且つ裏面シート２どうしが接合されて形成されている。この接合は、熱融着性フィルムの裏面シート２どうしが熱融着されて接合されたものである。あるいは両シート１と２との接合体が折り畳まれた状態で裏面シート２どうしがホットメルト接着剤などで接着されたものであってもよい。
【００２１】
前記フラップＳａは、表面シート１と裏面シート２が接合されたものがさらに折り畳まれ、裏面シート２どうしが熱融着などで互いに接合されたものであるため、フラップＳａは、境界部Ｓｄおよび延出シートＳｂよりも剛性が高くなっている。この剛性差があるために、吸収領域Ｓｃの裏面シート２と、延出シートＳｂの裏面シート２とが同一面に展開されたときに、前記フラップＳａはシート表面からほぼ垂直に立上がる。
【００２２】
図２に示すように、延出シートＳｂの裏面には粘着層６が形成されている。この粘着層６は、ゴム系エラストマーなどであり、ペットシートＳの裏面シート２が床面などに敷かれたときに適度な粘着力を有するようにその粘着力（タック力）が調整されている。この粘着力が強すぎると、ペットシートを床面から剥がすときに床面の塗装が剥離されたり、床面表面の樹脂層が剥がれる恐れがある。また粘着力が弱すぎると、ペットシートのずれ止め効果が低下する。よって粘着層６の粘着力（タック力）としては、「ＪＩＳ　Ｚ　０２３７　プローブタック力試験」に準拠して行った測定方法により求められたタック力が、２３０ｇｆ／ｃｍ２以上で３００ｇｆ／ｃｍ２以下程度が好ましく、さらに好ましくは２５０ｇｆ／ｃｍ２以上で２８０ｇｆ／ｃｍ２である。このタック力は、具体的には、ピクマ社製の「タック力テスター」という試験装置を用いて求められた値である。この測定では、まず一辺の長さ１０ｍｍの正方形のプローブを、一辺の長さ２５ｍｍの正方形の試験片（粘着層６）に対して、５００ｇの接触荷重で、１秒間接触させた。その後、プローブを試験片から、３０ｍｍ／ｍｉｎの速度で引き剥がし、プローブが試験片から引き剥がれたときの力を求め、この力をプローブのタック力の値とした。このタック力は、プローブの面積当たりの引き剥がし力として表され、前記のように単位はｇｆ／ｃｍ２である。このプローブのタック力の測定は、５枚の試験片について行った。そして、それぞれの試験片に対して測定されたタック力の平均値が、前記の値である。
【００２３】
図１に示すように、前記粘着層６は、裏面シートの４つの角部、すなわち各延出シートＳｂの４つの角部の裏面に形成されている。
【００２４】
また、前記粘着層６が形成されている部分の幅方向の内側、すなわち吸収領域Ｓｃの裏面の４つの角部には、離型シートとして離型紙７が接着固定されている。この離型紙７は、基材シート表面に珪素系樹脂などの離型剤が塗布されたものであり、この基材シートの裏面側が、ペットシートＳの裏面シート２に接着固定されている。
【００２５】
図３（Ａ）（Ｂ）は、前記粘着層６および離型紙７の取付け作業を示している。
【００２６】
図３（Ａ）に示すように、ペットシートＳの製造工程では、裏面シート２上に吸収体５が設置され、その上に表面シート１が設置される。そして吸収体５が介在している領域（吸収領域Ｓｃ）の側端部で、表面シート１と裏面シート２とが接合され且つ熱融着されて、接合部Ｓｅが形成される。また吸収領域Ｓｃの裏面では、裏面シート２に対し、表面に粘着層６が形成された離型紙７が接着固定される。
【００２７】
次に、図３（Ｂ）に示すように、表面シート１と裏面シート２とが接合された接合部Ｓｅが２つ折りに折り畳まれる。そして、吸収領域Ｓｃの側方に境界部Ｓｄを残し、前記境界部Ｓｄよりも先の折り畳み部が加熱され且つ加圧され、加圧領域Ｓｆにおいて裏面シート２どうしが熱融着され、フラップＳａが形成される。
【００２８】
また、図３（Ｂ）に示すように、表面シート１と裏面シート２とが折り畳まれた状態で、延出シートＳｂとなる部分の裏面シート２が粘着層６に粘着される。
【００２９】
このペットシートＳは、図３（Ｂ）に示すように、接合部Ｓｅが折り畳まれた状態で市販される。
【００３０】
このペットシートＳを使用するときに、延出シートＳｂの部分を吸収領域Ｓｃの裏面から引き剥がし、図２に示すように、延出シートＳｂの裏面と、吸収領域Ｓｃの裏面とを同一面となるように展開させる。このとき熱融着された剛性の高いフラップＳａが、シート表面からほぼ垂直に立ち上がる。
【００３１】
延出シートＳｂの部分を吸収領域Ｓｃの裏面から剥がすときに、粘着層６は、延出シートＳｂの裏面シート２に接着されて離型紙７から剥がれる。図２に示す展開状態で、ペットシートＳを床やトレイあるいはペット用トイレの底面に敷き、延出シートＳｂの裏面を粘着層６を介して前記床などに粘着させる。延出シートＳｂが床などに粘着されると、ペットシートＳ全体のずれ止めができるのみならず、延出シートＳｂの裏面と、吸収領域Ｓｃの裏面とが同一面を維持し、よってフラップＳａが倒れることなく起立状態を維持できるようになる。
【００３２】
また、図３（Ｂ）の折り畳み状態において、粘着層６は、離型紙７に粘着されているために、粘着力が維持される。図３（Ｂ）の状態から延出シートＳｂを剥がすと、粘着層６は延出シートＳｂの裏面シート２側に粘着され、粘着層６と離型紙７とが容易に剥がれる。
【００３３】
このペットシートＳの吸収領域Ｓｃでペットが尿を排泄すると、この尿は表面シート１を透過して吸収体５で吸収される。また尿の排泄位置が吸収領域Ｓｃの端部であり、尿がフラップＳａの部分に流れた場合には、尿がフラップＳａで堰止められ、尿が延出シートＳｂに流れ、さらに床面などに流れ出るのを防止できる。
【００３４】
図４は、本発明のペットシートＳの他の実施の形態を示す斜視図である。
このペットシートＳは、図１ないし３に示したペットシートＳと同様、表面シート１と裏面シート２との間に吸収体５が介在した積層体で形成されている。
【００３５】
ペットシートＳの４つの角部において、裏面シート２に、粘着層６が形成されている。このペットシートＳはＹ方向の両側の部分が、折れ線Ｓｇ，Ｓｇで裏面シート２どうしが対面するよう内側に折り返された状態で市販されるが、この折り畳み状態にて、前記粘着層６と対面する位置での裏面シート２の表面に離型紙７が接着固定されている。
【００３６】
このペットシートＳを使用するときには、ペットシートＳ全体を平面状態に広げる。このとき、粘着層６が離型紙７から剥がされ、ペットシートＳを床面などに敷いたときに、粘着層６が床面などに粘着されて、ずれ止めがなされる。離型紙７は裏面シート２に固定されているため、離型紙７がゴミとなることはない。
【００３７】
【発明の効果】
以上詳述した本発明は、粘着層を外側に露出させて、この粘着層によりシートを床などに粘着させるために、ペットシートはずれることなく設置できる。また、着色により表面を識別しやすい。
【図面の簡単な説明】
【図１】本発明のペットシートを裏面を上向きにして示した斜視図、
【図２】図１のＩＩーＩＩ線の断面図であり、表面シートを上向きにして示す拡大断面図、
【図３】図３（Ａ）（Ｂ）は粘着層と離型紙を取付ける作業を示す拡大断面図、
【図４】本発明の他の実施の形態を示すペットシートの全体斜視図、
【符号の説明】
１　表面シート
２　裏面シート
３　吸収シート
５　吸収体
６　粘着層
７　離型紙
Ｓ　ペットシート
Ｓａ　フラップ
Ｓｂ　延出シート
Ｓｃ　吸収領域
【図１】
2004049233.tif 000003
【図２】
2004049233.tif 000004
【図３】
2004049233.tif 000005
【図４】
2004049233.tif 000006